(57)【要約】【課題】自然で立体感のある画像を提供する。【解決手段】カメラは、撮影空間にいる利用者を被写体として撮影する。正面パネルは、撮影空間の一部を構成し、撮影空間側の面の中央にカメラが設けられる。側面パネルは、正面パネルの左右両端に接するようにして設けられる。１または複数のストロボユニットは、撮影空間内に設けられる。正面パネルの撮影空間側の面の色と、第１の側面パネルの撮影空間側の面の色のうち、一方は他方と比べて明るい色である。本技術は、例えば、写真シール作成装置に適用することができる。【選択図】図１３
2017120372.tif 000002
【特許請求の範囲】
【請求項１】
撮影空間にいる利用者を被写体として撮影するカメラと、
前記撮影空間の一部を構成し、前記撮影空間側の面の中央に前記カメラが設けられる正面パネルと、
前記正面パネルの左右両端に接するようにして設けられる第１の側面パネルと、
前記撮影空間内に設けられる１または複数のストロボユニットと
を備え、
前記正面パネルの前記撮影空間側の面の色と、前記第１の側面パネルの前記撮影空間側の面の色のうち、一方は他方と比べて明るい色である
写真シール作成装置。
【請求項２】
前記正面パネルの前記撮影空間側の面の色は、白色または白色系の色であり、前記第１の側面パネルの前記撮影空間側の面の色は、黒色または黒色系の色である
請求項１に記載の写真シール作成装置。
【請求項３】
内部に前記カメラを有し、前記正面パネルの中央に設けられる略箱形状の撮影ユニットをさらに備え、
前記撮影ユニットの各面の色は、白色または白色系の色である
請求項２に記載の写真シール作成装置。
【請求項４】
前記撮影空間にいる前記利用者の背面に設けられる背面パネルと、
前記背面パネルの左右両端に接するようにして、前記撮影空間にいる前記利用者の左右両側面に設けられる第２の側面パネルとをさらに備え、
前記背面パネルおよび前記第２の側面パネルの前記撮影空間側の面の色は、白色または白色系の色である
請求項２または３に記載の写真シール作成装置。
【請求項５】
前記第１の側面パネルと前記第２の側面パネルとは、所定の間隔をあけて設けられ、
前記第１の側面パネルの上部と前記第２の側面パネルの上部を連結する、板状の部材である連結部をさらに備え、
前記連結部の前記撮影空間側の面の色は、黒色または黒色系の色である
請求項２乃至４のいずれかに記載の写真シール作成装置。
【請求項６】
前記第１の側面パネル、前記連結部、および前記第２の側面パネルに囲まれることによって形成される前記撮影空間の出入り口を覆うカーテンをさらに備え、
前記カーテンの前記撮影空間側の面の色は、黒色または黒色系の色である
請求項２乃至５のいずれかに記載の写真シール作成装置。
【請求項７】
前記正面パネルの前記撮影空間側の面の色は、黒色または黒色系の色であり、前記第１の側面パネルの前記撮影空間側の面の色は、白色または白色系の色である
請求項１に記載の写真シール作成装置。
【発明の詳細な説明】
【技術分野】
【０００１】
本技術は、写真シール作成装置に関し、特に、自然で立体感のある画像を提供することができるようにする写真シール作成装置に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
写真シール機においては、撮影空間内に設けられたカメラによって撮影が行われる。撮影空間内には、撮影のタイミングで発光する複数のストロボユニットが設けられる。
【０００４】
特許文献１には、ストロボユニットからの光が撮影空間内で反射することを防いで、意図した明るさで撮影を行うために、撮影空間内の内側の色を、黒色などの暗い色にした写真シール機が記載されている。
【０００５】
すなわち、特許文献１の構成では、利用者に対して固い光（光源から直接的に被写体に当たる光）のみが照射されることになる。この場合、固い光によって明暗が強調されすぎてしまい、被写体となる利用者の顔に嫌な陰影が目立つようになる。
【０００６】
一方、近年、撮影空間内の内側全体の色を白色にした写真シール機がある。
【先行技術文献】
【特許文献】
【０００７】
【特許文献１】特開２０１２−２３４０４１号公報
【発明の概要】
【発明が解決しようとする課題】
【０００８】
撮影空間内の内側全体の色を白色にした場合、利用者に対して、固い光に加え、柔らかい光（反射または拡散することで光源から間接的に被写体に当たる光）が照射されるようになる。この場合、柔らかい光によって、影の部分が明るい領域になじむようになる。
【０００９】
しかしながら、影が目立たなくなるため、立体感が損なわれるおそれがある。
【００１０】
本技術は、このような状況に鑑みてなされたものであり、自然で立体感のある画像を提供することができるようにするものである。
【課題を解決するための手段】
【００１１】
本技術の一側面の写真シール作成装置は、撮影空間にいる利用者を被写体として撮影するカメラと、前記撮影空間の一部を構成し、前記撮影空間側の面の中央に前記カメラが設けられる正面パネルと、前記正面パネルの左右両端に接するようにして設けられる第１の側面パネルと、前記撮影空間内に設けられる１または複数のストロボユニットとを備え、前記正面パネルの前記撮影空間側の面の色と、前記第１の側面パネルの前記撮影空間側の面の色のうち、一方は他方と比べて明るい色である。
【００１２】
本技術の一側面においては、正面パネルの撮影空間側の面の色と、第１の側面パネルの撮影空間側の面の色のうち、一方は他方と比べて明るい色とされる。
【発明の効果】
【００１３】
本技術によれば、自然で立体感のある画像を提供することが可能となる。
【図面の簡単な説明】
【００１４】
【図１】本技術の写真シール作成装置の外観の構成例を示す斜視図である。
【図２】利用者の移動について説明する図である。
【図３】撮影部の構成例を示す斜視図である。
【図４】撮影部の構成例を示す正面図である。
【図５】背景部の構成例を示す図である。
【図６】編集ユニットの構成例を示す図である。
【図７】編集ユニットの右側面の構成例を示す図である。
【図８】シール紙の例を示す図である。
【図９】編集画像のレイヤ構造の例を示す図である。
【図１０】写真シール作成装置の内部の構成例を示すブロック図である。
【図１１】図１０の制御部の機能構成例を示すブロック図である。
【図１２】写真シール作成ゲーム処理について説明するフローチャートである。
【図１３】撮影空間内の配色について説明する図である。
【図１４】アップ撮影時のトリミングの例を示す図である。
【図１５】アップ撮影時のライブビュー表示画面の例を示す図である。
【図１６】全身撮影時のトリミングの例を示す図である。
【図１７】全身撮影時のライブビュー表示画面の例を示す図である。
【図１８】背面左右ストロボについて説明する図である。
【図１９】撮影画像の写りについて説明する図である。
【図２０】撮影空間内での利用者の立ち位置について説明する図である。
【図２１】荷物置き場の詳細について説明する図である。
【図２２】撮影部の他の構成例を示す斜視図である。
【図２３】撮影部のさらに他の構成例を示す斜視図である。
【図２４】写真シール作成装置の外観の他の構成例を示す斜視図である。
【図２５】写真シール作成装置の外観のさらに他の構成例を示す斜視図である。
【図２６】撮影部のさらに他の構成例を示す斜視図である。
【図２７】光の照射範囲について説明する図である。
【図２８】背景部の他の構成例を示す図である。
【図２９】撮影部のさらに他の構成例を示す斜視図である。
【図３０】撮影・表示ユニットの他の構成例を示す側面図である。
【図３１】背面カーテンの下辺部近傍の構成について説明する図である。
【図３２】背面カーテンの下辺部近傍の構成の詳細を示す図である。
【図３３】背面カーテンを固定する仕組みについて説明する図である。
【図３４】背面カーテンとフロアシートとの間の隙間について説明する図である。
【図３５】背面カーテンとフロアシートとの間の隙間について説明する図である。
【発明を実施するための形態】
【００１５】
＜写真シール作成装置の外観構成＞
図１は、写真シール作成装置１の外観の構成例を示す斜視図である。
【００１６】
写真シール作成装置１は、撮影画像や編集済みの画像を提供するゲーム機である。写真シール作成装置１は、画像をシール紙に印刷したり、利用者の携帯端末上で画像を閲覧可能にするためにその画像をサーバに送信したりすることで、利用者に画像を提供する。
【００１７】
写真シール作成装置１は、アミューズメント施設や店舗に設置される。写真シール作成装置１の利用者は、主に女子高校生や女子大学生などの若い女性が中心とされる。写真シール作成装置１において、１組あたり主に２人や３人などの複数人の利用者がゲームを楽しむことができる。もちろん、１人の利用者がゲームを楽しむこともできる。
【００１８】
写真シール作成装置１において、利用者は、自身が被写体となって撮影作業を行う。利用者は、編集作業を行うことによって、撮影によって得られた撮影画像に対して、背景画像、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１９】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００２０】
撮影ユニット１１は、撮影部２１と背景部２２から構成される。撮影部２１と背景部２２は離れて設置される。撮影部２１と背景部２２の間に設けられる空間が、利用者が撮影作業を行う撮影空間となる。
【００２１】
撮影部２１は、利用者を被写体として撮影する装置である。撮影空間に臨む撮影部２１の正面にはカメラなどが設けられる。撮影部２１の、編集ユニット１２と接する面には正面パネル４１が設けられる。撮影空間にいる利用者から見て右側の面を右側面、左側の面を左側面とすると、撮影部２１の右側面が側面パネル４２Ａにより構成され、左側面が側面パネル４２Ｂ（図２）により構成される。
【００２２】
背景部２２は、それぞれ板状の部材である背面パネル５１、側面パネル５２Ａ、および側面パネル５２Ｂ（図２）から構成される。背面パネル５１は、正面を向いている利用者の背面側に位置する。側面パネル５２Ａは、背面パネル５１の右端に取り付けられ、側面パネル５２Ｂは、背面パネル５１の左端に取り付けられる。
【００２３】
側面パネル４２Ａと側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００２４】
側面パネル４２Ｂと側面パネル５２Ｂも同様にほぼ同一平面に設けられる。側面パネル４２Ｂと側面パネル５２Ｂの上部は連結部３１Ｂによって連結される。側面パネル４２Ｂと側面パネル５２Ｂの下部は、床面に設けられた金属製の部材である連結部（図示せず）によって連結される。
【００２５】
側面パネル４２Ａ、連結部３１Ａ、および側面パネル５２Ａに囲まれることによって形成される開口が、撮影空間の出入り口となる。また、側面パネル４２Ｂ、連結部３１Ｂ、および側面パネル５２Ｂに囲まれることによって形成される開口も、撮影空間の出入り口となる。
【００２６】
撮影空間の上方には、撮影部２１の正面パネル４１、連結部３１Ａ、連結部３１Ｂ、および背景部２２の背面パネル５１に囲まれる開口が形成される。その開口の一部を覆うように天井照明ユニット３２が設けられる。天井照明ユニット３２の一端は連結部３１Ａに固定され、他端は連結部３１Ｂに固定される。
【００２７】
天井照明ユニット３２の内部には蛍光灯とストロボ発光管とが設けられる。天井照明ユニット３２は、撮影空間の照明として機能するとともに、撮影を行っている利用者に対してストロボ光を照射する。
【００２８】
編集ユニット１２は、撮影画像に編集を施すための装置である。編集ユニット１２は、一方の側面が撮影部２１の正面パネル４１に接するようにして、撮影ユニット１１に連結している。
【００２９】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３０】
編集ユニット１２の正面側は、床面に対して垂直な面である面１２Ａと、面１２Ａの上方に形成された斜面１２Ｂから構成される。斜面１２Ｂには、編集作業に用いられる構成として、タブレット内蔵モニタやタッチペンが設けられる。
【００３１】
斜面１２Ｂの上方右側には、照明装置７３の一端を支持する柱状の支持部７１Ａ（図６）が設けられる。斜面１２Ｂの左側には、照明装置７３の他端を支持する柱状の支持部７１Ｂが設けられる。支持部７１Ａの右側には板状のパネル７２が設けられる。パネル７２の上面にはカーテン取付部７５を支持する支持部７４が設けられる。
【００３２】
編集ユニット１２の上方にはカーテン取付部７５が設けられる。カーテン取付部７５は、５本の棒状部材７５Ａ乃至７５Ｃ，７５ａ，７５ｂが組み合わされて構成される。５本の棒状部材７５Ａ乃至７５Ｃ，７５ａ，７５ｂは、上から見たときの形状がコの字の２つの角がＣ面取りされた形状となるように組み合わされる。平行に設けられる棒状部材７５Ａと棒状部材７５Ｂの一端は、連結部３１Ａと連結部３１Ｂにそれぞれ固定され、棒状部材７５Ａと棒状部材７５Ｂの他端は、それぞれ棒状部材７５ａ，７５ｂを介して棒状部材７５Ｃの両端にそれぞれ接合される。
【００３３】
カーテン取付部７５には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３４】
後述するように、編集ユニット１２の右側面には、印刷済みのシール紙が排出される排出口が設けられる。編集ユニット１２の右側面前方の空間が、印刷が終了するのを利用者が待つ印刷待ち空間となる。
【００３５】
＜利用者の移動について＞
ここで、写真シール作成ゲームの流れと、それに伴う利用者の移動について説明する。
【００３６】
図２は、写真シール作成装置１を上から見た平面図である。
【００３７】
まず、利用者は、白抜き矢印＃１で示されるように出入り口Ｇ１から、または白抜き矢印＃２で示されるように出入り口Ｇ２から、撮影部２１と背景部２２の間に形成された撮影空間Ａ１に入る。出入り口Ｇ１は側面パネル４２Ａと側面パネル５２Ａの間の開口であり、出入り口Ｇ２は側面パネル４２Ｂと側面パネル５２Ｂの間の開口である。利用者は、撮影空間Ａ１において、撮影部２１に設けられたカメラやタッチパネルモニタなどを利用して撮影作業を行う。
【００３８】
撮影作業を終えた利用者は、白抜き矢印＃３で示されるように出入り口Ｇ１から撮影空間Ａ１を出て編集空間Ａ２−１に移動するか、白抜き矢印＃４で示されるように出入り口Ｇ２から撮影空間Ａ１を出て編集空間Ａ２−２に移動する。
【００３９】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。
【００４０】
編集空間Ａ２−１または編集空間Ａ２−２に移動した利用者は、編集作業を開始する。編集空間Ａ２−１の利用者と編集空間Ａ２−２の利用者は同時に編集作業を行うことができる。
【００４１】
編集作業が終了した後、編集画像の印刷が開始される。印刷が開始されると、編集空間Ａ２−１での編集作業を終えた利用者は、白抜き矢印＃５で示されるように編集空間Ａ２−１から印刷待ち空間Ａ３に移動する。また、編集空間Ａ２−２での編集作業を終えた利用者は、白抜き矢印＃６で示されるように編集空間Ａ２−２から印刷待ち空間Ａ３に移動する。印刷待ち空間Ａ３に移動した利用者は、印刷が終了するのを待つ。
【００４２】
印刷が終了すると、利用者は、編集ユニット１２の右側面に設けられた排出口から排出されたシール紙を受け取り、一連の写真シール作成ゲームを終える。
【００４３】
次に、各部の構成について説明する。
【００４４】
＜撮影部の構成＞
図３は、撮影部２１の構成例を示す斜視図であり、図４は、撮影部２１の構成例を示す正面図である。
【００４５】
撮影部２１の外枠は、複数のキャスターが取り付けられたベース部４３に、正面パネル４１、側面パネル４２Ａ、および側面パネル４２Ｂが立設して構成される。
【００４６】
正面パネル４１の略中央には、略箱形状の撮影・表示ユニット１０１が設けられる。撮影・表示ユニット１０１の正面側には、上から順に、前下がりの斜面１０１Ａ、垂直に対して僅かに前傾した斜面１０１Ｂ、および、斜面１０１Ａより急な斜面１０１Ｃが形成される。
【００４７】
斜面１０１Ｂの略中央には円形の開口部が形成され、開口部には、撮影空間Ａ１にいる利用者を撮影するカメラ１１１のレンズが設けられる。撮影・表示ユニット１０１の内部には、例えば一眼レフカメラであるカメラ１１１がチルト可能に取り付けられている。
【００４８】
斜面１０１Ｃにはタッチパネルモニタ１１２が設けられる。タッチパネルモニタ１１２は、LCD(Liquid Crystal Display)などのモニタと、それに積層されたタッチパネルにより構成される。
【００４９】
タッチパネルモニタ１１２は、カメラ１１１により取り込まれた動画像（以下、ライブビュー画像ともいう）を表示するライブビューモニタとしての機能と、各種のGUI(Graphical User Interface)を表示して利用者の操作を受け付ける機能とを備える。タッチパネルモニタ１１２には、カメラ１１１により取り込まれたライブビュー画像や撮影画像が表示される。撮影画像は、所定のタイミングでカメラ１１１により取り込まれた静止画像である。
【００５０】
後述するように、利用者は、自身の全身が写る画像である全身画像と、顔を中心として自身の略胸から上の範囲が大きく写る画像であるアップ画像を撮影することができる。
【００５１】
正面パネル４１には、撮影・表示ユニット１０１を挟んで対称に発光部１０２Ｌと発光部１０２Ｒが形成される。発光部１０２Ｌと発光部１０２Ｒは、例えば正面パネル４１に形成された細幅の溝に、透光性を有するカバーが嵌め込まれることによって構成される。正面パネル４１に形成された細幅の溝にはLED（Light Emitting Diode）などの発光体が設けられる。
【００５２】
図４に示すように、撮影・表示ユニット１０１の左側の発光部１０２Ｌは、細幅の直線状部１０２Ｌ−１乃至１０２Ｌ−３から構成される。直線状部１０２Ｌ−２は、その長さを撮影・表示ユニット１０１の縦方向の長さと略同じ長さにするように垂直方向に形成される。直線状部１０２Ｌ−１は、直線状部１０２Ｌ−２の上端から右斜め上方に向けて形成され、直線状部１０２Ｌ−３は、直線状部１０２Ｌ−１の下端から右斜め下方に向けて形成される。
【００５３】
一方、撮影・表示ユニット１０１の右側の発光部１０２Ｒは、細幅の直線状部１０２Ｒ−１乃至１０２Ｒ−３から構成される。直線状部１０２Ｒ−２は、その長さを撮影・表示ユニット１０１の縦方向の長さと略同じ長さにするように垂直方向に形成される。直線状部１０２Ｒ−１は、直線状部１０２Ｒ−２の上端から左斜め上方に向けて形成され、直線状部１０２Ｒ−３は、直線状部１０２Ｒ−２の下端から左斜め下方に向けて形成される。
【００５４】
図４に示されるように、発光部１０２Ｌと発光部１０２Ｒを合わせた形状は略六角形になる。発光部１０２Ｌと発光部１０２Ｒが発光することにより、撮影空間Ａ１をシャープな印象に演出することができる。
【００５５】
撮影・表示ユニット１０１の上方には、曲面のカバーを利用者に向けた上ストロボユニット１０３が設置される。上ストロボユニット１０３は、所定の取り付け部材を用いて、正面パネル４１などに固定される。上ストロボユニット１０３は内部に蛍光灯およびストロボ発光管を有し、正面上方から、利用者の顔付近にストロボ光を照射する。
【００５６】
撮影・表示ユニット１０１の下方には、カメラ１１１による撮影に合わせて利用者の下半身にストロボ光を照射する足元ストロボユニット１０４が設けられる。足元ストロボユニット１０４の正面は垂直面を形成する板状部材１２１により構成され、上面は緩やかな斜面を形成する板状部材１２２により構成される。板状部材１２１と板状部材１２２は、乳白色のアクリル板などの透光性を有する板状部材である。足元ストロボユニット１０４もまた、内部に蛍光灯およびストロボ発光管を有する。
【００５７】
足元ストロボユニット１０４の板状部材１２１の左右には、垂直面を構成する板状部材１２３Ｌと板状部材１２３Ｒがそれぞれ設けられる。板状部材１２３Ｒには、利用者が硬貨を投入する硬貨投入口が設けられる。
【００５８】
足元ストロボユニット１０４の板状部材１２２の左右には、板状部材１２２と同様の緩やかな斜面を形成する板状部材１２４Ｌと板状部材１２４Ｒがそれぞれ設けられる。板状部材１２４Ｌと板状部材１２４Ｒにより形成される斜面は、利用者が手荷物を置くためなどに用いられる。
【００５９】
図示はしないが、正面パネル４１の例えば天井付近にはスピーカが設けられる。そのスピーカは、撮影作業に関する案内音声、BGM（Background Music）、効果音などを出力する。
【００６０】
＜背景部の構成＞
図５は、背景部２２の撮影空間Ａ１側の構成例を示す図である。
【００６１】
背面パネル５１の上方中央には背面上ストロボ１３１が設けられる。また、背面パネル５１の上方右側（図中、左側）には背面右ストロボ１３２が設けられ、背面パネル５１の上方左側（図中、右側）には背面左ストロボ１３３が設けられる。
【００６２】
背面上ストロボ１３１は、後方上側から利用者にストロボ光を照射する。背面右ストロボ１３２は、後方右側から利用者にストロボ光を照射する。背面左ストロボ１３３は、後方左側から利用者にストロボ光を照射する。
【００６３】
背面パネル５１の撮影空間Ａ１側（図中、手前側）の面の色は白色とされる。また、図示はしないが、側面パネル５２Ａ，５２Ｂそれぞれの撮影空間Ａ１側の面の色も白色とされる。
【００６４】
また、背面パネル５１の撮影空間Ａ１側には、図示せぬカーテンユニットにより、クロマキ用のカーテンが、必要に応じて下ろされる。これにより、撮影画像に対してクロマキ処理を施し、利用者が所望する背景画像を、撮影画像の背景部分に合成することができる。なお、クロマキ用のカーテンの色は、緑色であるものとするが、クロマキ処理を行うことができる色であればよく、青色などの他の色であってもよい。
【００６５】
＜編集ユニットの構成＞
図６は、編集ユニット１２の正面側（編集空間Ａ２−１側）の構成例を示す図である。
【００６６】
斜面１２Ｂのほぼ中央には、タブレット内蔵モニタ１４１が設けられる。タブレット内蔵モニタ１４１の左右にはタッチペン１４２Ａとタッチペン１４２Ｂが設けられる。
【００６７】
タブレット内蔵モニタ１４１は、タッチペン１４２Ａ，１４２Ｂを用いた操作入力を受け付ける。タブレット内蔵モニタ１４１には、編集作業に用いられる編集画面などが表示される。例えば、タッチペン１４２Ａはタブレット内蔵モニタ１４１に向かって左側に立つ利用者により用いられ、タッチペン１４２Ｂはタブレット内蔵モニタ１４１に向かって右側に立つ利用者により用いられる。以下、適宜、タッチペン１４２Ａとタッチペン１４２Ｂを区別する必要がない場合、タッチペン１４２という。
【００６８】
図７は、編集ユニット１２の右側面の構成例を示す図である。
【００６９】
編集ユニット１２の右側面の下部にはシール紙排出口１５１が設けられる。編集ユニット１２の内部にはプリンタが設けられる。そのプリンタにより、編集空間Ａ２−１の利用者が編集を行った画像、または、編集空間Ａ２−２の利用者が編集を行った画像が所定のレイアウトでシール紙に印刷され、シール紙排出口１５１から排出される。
【００７０】
＜シール紙の例＞
図８は、以上のような外観構成を有する写真シール作成装置１により作成されるシール紙の例を示す図である。
【００７１】
図８に示す横長のシール紙には、５枚の編集画像である編集画像１６１−１乃至１６１−５が横に並んで印刷されている。
【００７２】
編集画像１６１−１乃至１６１−５のうち、編集画像１６１−１乃至１６１−３は、アップ画像に対して編集が施されることによって生成された画像であり、編集画像１６１−４と編集画像１６１−５は、全身画像に対して編集が施されることによって生成された画像である。
【００７３】
アップ画像と全身画像は縦横比が異なる。例えば、アップ画像の横方向の長さと縦方向の長さの比は１：１．２であり、全身画像の横方向の長さと縦方向の長さの比は３：４である。図８の例においては、アップ画像と全身画像が、横方向の長さを同じ長さとして印刷されている。なお、実際には、利用者の背景には、所定の色や柄の画像である背景画像が、前景には、手書きの文字やスタンプ画像などが、それぞれ合成用画像として合成される。
【００７４】
シール紙の縁の余白には、機種名（LOVERY）と撮影日の他に、メールアドレス、IDなどが印刷される。余白領域に印刷されたメールアドレスとIDは、写真シール作成装置１からサーバに送信された画像を携帯電話機などの携帯端末で閲覧するときに利用される。
【００７５】
図９は、編集画像のレイヤ構造の例を示す図である。
【００７６】
左端の編集画像Ｐ１が編集によって生成される画像である。編集画像Ｐ１は、背景画像Ｐ１１、撮影画像Ｐ１２、前景画像Ｐ１３の各レイヤの画像から構成される。
【００７７】
図９の例において、背景画像Ｐ１１は、レンガを重ねた壁面の柄の画像である。前景画像Ｐ１３は、「Love my friend」の手書き文字の画像とハート型の画像を含む画像である。「Love my friend」の手書き文字の画像は、撮影画像Ｐ１２の中央下方の位置にペンツールを用いて利用者によって入力されたペン画像である。また、ハート型の画像は、撮影画像Ｐ１２の左上の位置にスタンプツールを用いて利用者によって入力されたスタンプ画像である。
【００７８】
このように、編集画像Ｐ１は、クロマキ処理によって抽出した撮影画像Ｐ１２の被写体の領域を背景画像Ｐ１１に重ね、その上に前景画像Ｐ１３を重ねることによって生成される。ペン画像やスタンプ画像を背景画像Ｐ１１上に入力し、被写体の背景に表示させるようにすることも可能とされる。
【００７９】
＜写真シール作成装置の内部構成＞
図１０は、写真シール作成装置１の内部の構成例を示すブロック図である。上述した構成と同じ構成には同じ符号を付してある。重複する説明については適宜省略する。
【００８０】
制御部２０１は、CPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８の各構成、編集部２０９Ａ，２０９Ｂの各構成、およびプリンタ２４１も接続される。
【００８１】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００８２】
通信部２０３は、インターネットなどのネットワークのインタフェースである。通信部２０３は、制御部２０１による制御に従って外部の装置と通信を行う。通信部２０３は、例えば、利用者により選択された撮影画像をサーバに送信する。通信部２０３から送信された画像は、サーバにおいて所定の記憶領域が割り当てられて保存され、サーバにアクセスしてきた携帯端末に表示されたり、ダウンロードされたりする。
【００８３】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００８４】
ROM２０６は、制御部２０１において実行されるプログラムやデータを記憶する。RAM２０７は、制御部２０１が処理するデータやプログラムを一時的に記憶する。
【００８５】
撮影部２０８は、撮影空間Ａ１にいる利用者を対象とした撮影処理を実現する。撮影部２０８は、硬貨処理部２２１、照明装置２２２、カメラ１１１、タッチパネルモニタ１１２、およびスピーカ２２３から構成される。
【００８６】
硬貨処理部２２１は、硬貨投入口への硬貨の投入を検出する。硬貨処理部２２１は、例えば４００円などの所定の金額分の硬貨が投入されたことを検出した場合、ゲームの開始を指示する起動信号を制御部２０１に出力する。
【００８７】
照明装置２２２は、上ストロボユニット１０３、足元ストロボユニット１０４などの、撮影空間Ａ１内に設けられる各照明装置である。照明装置２２２のそれぞれは、制御部２０１から供給される照明制御信号に従って発光する。
【００８８】
カメラ１１１は、制御部２０１によるシャッタ制御に従って撮影を行い、撮影によって得られた撮影画像のデータを制御部２０１に出力する。
【００８９】
編集部２０９Ａは、編集空間Ａ２−１にいる利用者を対象とした編集処理を実現する。編集部２０９Ａは、タブレット内蔵モニタ１４１、タッチペン１４２Ａ，１４２Ｂ、およびスピーカ２３１から構成される。編集部２０９Ｂは、編集部２０９Ａと同一の構成を有し、編集空間Ａ２−２にいる利用者を対象とした編集処理を実現する。
【００９０】
タブレット内蔵モニタ１４１は、制御部２０１による制御に従って各種の画面を表示し、表示した画面に対する利用者の操作を受け付ける。利用者の操作の内容を表す入力信号は制御部２０１に供給される。
【００９１】
プリンタ２４１は、制御部２０１から供給された印刷データに基づいて、シール紙ユニット２４２に収納されているシール紙に編集画像を印刷する。プリンタ２４１は、編集画像を所定のレイアウトで印刷したシール紙をシール紙排出口１５１に排出する。
【００９２】
＜制御部の構成＞
図１１は、制御部２０１の機能構成例を示すブロック図である。図１１に示す機能部のうちの少なくとも一部は、制御部２０１内のCPUにより所定のプログラムが実行されることによって実現される。
【００９３】
制御部２０１は、撮影処理部３０１、編集処理部３０２、および印刷処理部３０３から構成される。
【００９４】
撮影処理部３０１は、撮影部２０８の各部を制御して撮影処理を行う。編集処理部３０２は、編集部２０９Ａ，２０９Ｂの各部を制御して編集処理を行う。印刷処理部３０３は、プリンタ２４１を制御して編集画像をシール紙に印刷する。
【００９５】
＜写真シール作成装置の動作＞
ここで、図１２のフローチャートを参照して、写真シール作成ゲームを提供する写真シール作成装置１の動作について説明する。図１２の処理は、所定の金額分の硬貨が硬貨投入口に投入されたときに開始される。
【００９６】
ステップＳ１において、撮影処理部３０１は、撮影部２０８を制御して撮影処理を行う。
【００９７】
撮影処理において、撮影処理部３０１は、人数や撮影コースの選択画面をタッチパネルモニタ１１２に表示させ、それらの選択を行わせる。例えば、撮影コースに応じて、異なる写りの撮影画像が生成される。
【００９８】
被写体の写りは、撮影画像に施す画像処理の種類などによって変わる。例えば、被写体の写りは、撮影画像における人物領域の彩度、明度、シャープネス、コントラストなどの少なくともいずれかを調整することで決定される。撮影画像に対しては、彩度、明度、シャープネス、コントラストなどの各種のパラメータを調整する画像処理が施される。被写体の写りを、撮影空間Ａ１内の各ストロボの発光量や発光タイミングなどを制御することで変えるようにしてもよい。
【００９９】
人数や撮影コースが選択されたとき、撮影処理部３０１は、カメラ１１１を制御して動画像の取り込みを開始する。撮影処理部３０１は、取り込まれた動画像をライブビュー画像としてタッチパネルモニタ１１２に表示させる。利用者は、ライブビュー画像を見ることで自分たちの写り方を確認することができる。
【０１００】
ライブビュー画像が所定の時間表示された後、撮影前のカウントダウンが開始される。撮影のタイミングになったとき、撮影処理部３０１は１回目の撮影を行う。その後、撮影処理部３０１は、所定の回数分の撮影を繰り返し行う。
【０１０１】
例えば５回の撮影のうち１回目から３回目までの撮影がアップ画像の撮影であり、４回目と５回目の撮影が全身画像の撮影である場合、撮影処理部３０１は、それぞれの撮影画像の種類に応じて、カメラ１１１の画角を調整する等の処理を行う。
【０１０２】
全身画像として、斜め上から見た利用者の全身が写る画像と、正面から見た利用者の全身が写る画像とが生成されるようにしてもよい。
【０１０３】
この場合、例えば、カメラ１１１の角度を調整することが可能とされる。利用者は、アングル（撮影方向）が異なる全身画像を撮影することができる。
【０１０４】
５回などの所定の回数の撮影が行われた後、撮影処理部３０１は、撮影を終えた利用者に対して、編集空間Ａ２−１または編集空間Ａ２−２への移動を案内する。編集空間への移動の案内は、タッチパネルモニタ１１２に案内画面を表示させることによって、または音声をスピーカ２２３から出力させることによって行われる。
【０１０５】
図１２のステップＳ２において、編集処理部３０２は編集処理を行い、編集画像を生成する。編集処理においては、編集画面がタブレット内蔵モニタ１４１に表示され、撮影画像の編集が行われる。編集画面が表示されるタブレット内蔵モニタ１４１は、撮影処理を終えた利用者の移動先とした方の編集空間に設けられているモニタである。
【０１０６】
編集画面を用いた撮影画像の編集は、予め設定された制限時間が経過するか、編集画面に表示された終了ボタンが操作されたときに終了される。撮影画像の編集が終了したとき、レイアウトの選択、携帯専用画像の選択などが行われ、その後、印刷待ち空間Ａ３への移動が案内される。
【０１０７】
ステップＳ３において、印刷処理部３０３は、プリンタ２４１を制御し、編集処理によって得られた編集画像をシール紙に印刷する。なお、撮影処理により得られた撮影画像に対して編集が施されていない場合、撮影画像がそのままシール紙に印刷される。
【０１０８】
ステップＳ４において、プリンタ２４１は、編集画像が印刷されたシール紙をシール紙排出口１５１に排出し、処理を終了させる。
【０１０９】
＜立体感について＞
ところで、撮影画像は平面（２次元空間）の画像である。したがって、撮影画像における被写体の立体感は、ストロボからの光によりハイライトや影（以下、シェーディングという）がどのように表現されるかで決まる。特に、自然な立体感を出すためには、画像処理ではなく、撮影環境によって、適切なハイライトやシェーディングを表現する必要がある。
【０１１０】
スタジオ撮影においては、撮影者が、カメラの位置、ストロボやレフ板の位置・サイズを被写体に応じて調整した撮影環境で、所望のハイライトやシェーディングを実現することができる。しかしながら、写真シール作成装置においては、撮影者がいないので、自然な立体感を出すためには、一定の撮影環境において、適切なハイライトやシェーディングを実現しなければならない。
【０１１１】
写真シール作成装置１においては、撮影空間Ａ１の一部を構成する正面パネル４１の、撮影空間Ａ１側の面の中央にカメラ１１１が設けられる。また、カメラ１１１の上方には上ストロボユニット１０３が設けられ、カメラ１１１の下方には足元ストロボユニット１０４が設けられる。撮影の際、利用者は撮影空間Ａ１の正面パネル４１側を向き、カメラ１１１に顔を向ける。この状態で、撮影のタイミングになると、上ストロボユニット１０３は、正面上方から、利用者の顔付近にストロボ光を照射する。また、足元ストロボユニット１０４は、利用者の下半身にストロボ光を照射する。
【０１１２】
本実施の形態の写真シール作成装置１においては、上ストロボユニット１０３がメインライトとして機能する。上ストロボユニット１０３によれば、利用者の人数、利用者の動きやポーズによらず、利用者の顔に対して確実に光を照射することができる。逆に、足元ストロボユニット１０４や、カメラ１１１の左右にストロボユニットを新たに設け、これらをメインライトとした場合には、利用者の人数、利用者の動きやポーズにより光が遮られ、利用者の顔に対して確実に光を照射できないおそれがある。
【０１１３】
光源の位置以外にも、撮影空間内の配色によって、撮影環境を変えることもできる。
【０１１４】
例えば、撮影空間内の内側全体の色を黒色にした場合、利用者に対して固い光のみが照射されることになる。この場合、固い光によって、明暗が強調されすぎてしまい、被写体となる利用者の顔に嫌な陰影が目立つようになる。
【０１１５】
一方、撮影空間内の内側全体の色を白色にした場合、利用者に対して、固い光に加え、柔らかい光が照射されるようになる。この場合、柔らかい光によって、影の部分が明るい領域になじむようになるが、影が目立たなくなるため、立体感が損なわれるおそれがある。
【０１１６】
そこで、以下においては、画像処理によらず、自然で立体感のある画像を提供する構成について説明する。
【０１１７】
＜撮影空間内の配色について＞
図１３は、撮影空間Ａ１内の配色について説明する図である。
【０１１８】
図１３に示されるように、正面パネル４１の撮影空間Ａ１側の面と、正面パネル４１の左端（右端）に接するようにして設けられる側面パネル４２Ｂ（側面パネル４２Ａ）の撮影空間Ａ１側の面とは、異なる色とされ、一方は明るい色であり、他方は暗い色である。
【０１１９】
具体的には、正面パネル４１の撮影空間Ａ１側の面の色は、白色または白色系の色である。これに加えて、撮影・表示ユニット１０１の各面、板状部材１２３Ｌ（板状部材１２３Ｒ）、板状部材１２４Ｌ（板状部材１２４Ｒ）それぞれの色もまた、白色または白色系の色である。また、上ストロボユニット１０３の発光面を構成する曲面状のカバーや、足元ストロボユニット１０４の発光面を構成する板状部材１２１，１２２は、透光性を有する乳白色のアクリル板などによりなる。
【０１２０】
これにより、利用者からみた撮影空間Ａ１内の正面からは、上ストロボユニット１０３からのストロボ光（直接光）に加え、撮影空間Ａ１内の各ストロボユニットのストロボ光の反射光（間接光）が、柔らかい光として、利用者の顔の正面を中心に照射されるようになる。なお、撮影空間Ａ１内には、ストロボユニットが複数設けられるが、１つのみ設けられるようにしてもよい。
【０１２１】
一方、側面パネル４２Ｂ（側面パネル４２Ａ）の撮影空間Ａ１側の面は、黒色または黒色系の色である。これに加えて、側面パネル４２Ｂ（側面パネル４２Ａ）と図示せぬ側面パネル５２Ｂ（側面パネル５２Ａ）の上部を連結する連結部３１Ｂ（連結部３１Ａ）の撮影空間Ａ１側の面、撮影空間Ａ１の出入り口を覆うカーテン４１１Ｂ（カーテン４１１Ａ）それぞれの色もまた、黒色または黒色系の色である。
【０１２２】
これにより、利用者からみた撮影空間Ａ１内の側面には、撮影空間Ａ１内の各ストロボユニットのストロボ光全体のごく一部しか反射せず、利用者からみた撮影空間Ａ１内の側面からは、各ストロボユニットからの固い光のみが、利用者の顔の側面を中心に照射されるようになる。
【０１２３】
すなわち、以上の構成においては、正面パネル４１と、側面パネル４２Ａ，４２Ｂとで光の反射率を異ならせている。
【０１２４】
例えば、色の明度を０乃至１０の数値で表すようにした場合、正面パネル４１の色の明度を１０とし、側面パネル４２Ａ，４２Ｂの色の明度を５とすることで、正面パネル４１の反射率を１００％、側面パネル４２Ａ，４２Ｂの反射率を１９％などとすることができる。
【０１２５】
また、正面パネル４１の色彩を白色とし、側面パネル４２Ａ，４２Ｂの色彩を黒色とすることで、正面パネル４１の反射率を８０％、側面パネル４２Ａ，４２Ｂの反射率を４％などとすることができる。
【０１２６】
さらに、正面パネル４１と、側面パネル４２Ａ，４２Ｂとで、材質を異ならせることで、光の反射率を異ならせるようにしてもよい。例えば、正面パネル４１を白色の塗料で塗布し、側面パネル４２Ａ，４２Ｂに白色の麻布を貼りつけることで、正面パネル４１の反射率を８５％、側面パネル４２Ａ，４２Ｂの反射率を５５％などとすることができる。
【０１２７】
以上の構成によれば、利用者の顔の正面には適度なハイライトができ、側面には適度なシェーディングができるようになる。これにより、顔の輪郭がはっきりと強調されつつ、顔の正面は明るくきれいに写る、自然で立体感のある画像を提供することが可能となる。このことは、特に、撮影空間Ａ１内において利用者がカメラ１１１に近い位置で写るアップ画像を撮影する際に実現される。
【０１２８】
なお、以上においては、正面パネル４１の撮影空間Ａ１側の面全体を白色または白色系の色とするようにしたが、その面の一部のみを白色または白色系の色とするようにしてもよい。これにより、利用者の顔の正面の一部のみに適度なハイライトができるようになる。
【０１２９】
さらに、上述したように、背面パネル５１および側面パネル５２Ａ，５２Ｂの撮影空間Ａ１側の面の色は、白色または白色系の色である。また、背面上ストロボ１３１、背面右ストロボ１３２、および背面左ストロボ１３３の発光面を構成するカバーは、透光性を有する乳白色のアクリル板などによりなる。
【０１３０】
これにより、利用者からみた撮影空間Ａ１内の背面からも、背面上ストロボ１３１、背面右ストロボ１３２、および背面左ストロボ１３３からのストロボ光（直接光）に加え、撮影空間Ａ１内の各ストロボユニットのストロボ光の反射光（間接光）が、柔らかい光として、利用者の背面全体に照射されるようになる。
【０１３１】
したがって、利用者の顔の正面には適度なハイライトができ、側面には適度なシェーディングができる上に、利用者の背面にもハイライトができるようになる。これにより、顔や体の明るさにメリハリのついた、自然で立体感のある画像を提供することが可能となる。このことは、特に、撮影空間Ａ１内で利用者がカメラ１１１から遠い位置（背面パネル５１に近い位置）で写る全身画像を撮影する際に実現される。
【０１３２】
＜立ち位置の誘導＞
上述したように、アップ画像の撮影と全身画像の撮影とでは、撮影空間Ａ１内での利用者の立ち位置が異なる。以下においては、それぞれに撮影において、利用者を適切な立ち位置に誘導するための手段について説明する。
【０１３３】
図１４は、アップ撮影時のトリミングの例を示す図である。
【０１３４】
図１４の画像Ｐ２１は、カメラ１１１により取り込まれた動画像の１フレーム全体の画像である。画像Ｐ２１は縦長の画像であり、撮影空間Ａ１にいる２人の利用者の頭の上から腰のあたりまでが大きく写っている。２人の利用者の背景には背面パネル５１が写っている。画像Ｐ２１においては、カメラ１１１に向かって右側に立つ利用者Ｈ１が左側に写り、左側に立つ利用者Ｈ２が右側に写る。
【０１３５】
枠Ｆ１で示す矩形領域がトリミングによって切り出される領域である。枠Ｆ１で示す矩形領域の横と縦の比は１：１．２である。枠Ｆ１で示す矩形領域は、各フレームにおいて固定とされる。
【０１３６】
このようにして動画像の各フレームから切り出された、枠Ｆ１で示す矩形領域の画像からなる動画像がライブビューの表示に用いられる。
【０１３７】
図１５は、アップ撮影時のライブビュー表示画面の例を示す図である。
【０１３８】
ライブビュー表示画面の中央上方には「撮影するよ」のメッセージが表示される。その下に設けられた矩形の領域であるライブビュー表示領域４５１には、動画像が表示される。ライブビュー表示領域４５１に表示される動画像においては、カメラ１１１に向かって右側に立つ利用者Ｈ１が右側に写り、左側に立つ利用者Ｈ２が左側に写る。カメラ１１１によって撮影された画像は、反転してタッチパネルモニタ１１２に表示される。
【０１３９】
ライブビュー表示領域４５１の下には、ライブビュー表示領域４５１より小さい矩形の領域である撮影結果表示領域４５２−１乃至４５２−５が横に並んで配置される。
【０１４０】
撮影結果表示領域４５２−１乃至４５２−５には、撮影が行われる毎に、撮影によって得られた撮影画像が撮影順に表示される。利用者は、このようなライブビュー表示画面を見て、自分の顔の位置や大きさを調整するべく、適切な立ち位置に移動する。
【０１４１】
図１６は、全身撮影時のトリミングの例を示す図である。
【０１４２】
図１６の画像Ｐ２２は、カメラ１１１により取り込まれた動画像の１フレーム全体の画像である。画像Ｐ２２は縦長の画像であり、上から見下ろすように撮影した、撮影空間Ａ１にいる２人の利用者の全身が写っている。２人の利用者の後ろには背面パネル５１が写り、２人の利用者の横には側面パネル５２Ａ，５２Ｂが写っている。画像Ｐ２２においては、カメラ１１１に向かって右側に立つ利用者Ｈ１が左側に写り、左側に立つ利用者Ｈ２が右側に写る。
【０１４３】
枠Ｆ２で示す矩形領域がトリミングによって切り出される領域である。枠Ｆ２で示す矩形領域の横と縦の比は３：４である。枠Ｆ２で示す矩形領域は、各フレームにおいて固定とされる。
【０１４４】
このようにして動画像の各フレームから切り出された、枠Ｆ２で示す矩形領域の画像からなる動画像が、ライブビューの表示に用いられる。
【０１４５】
図１７は、全身撮影時のライブビュー表示画面の例を示す図である。図１５の表示と重複する説明については適宜省略する。
【０１４６】
ライブビュー表示領域４５１には動画像が表示される。全身撮影時のライブビュー表示領域４５１の横方向の長さは、アップ撮影時のライブビュー表示領域４５１の横方向の長さと同じ長さである。なお、それぞれの横方向の長さは、厳密に同じ長さでなくてもよく、画像を見て、利用者が同じと判断できる程度であればよい。
【０１４７】
ライブビュー表示領域４５１に表示される動画像においては、カメラ１１１に向かって右側に立つ利用者Ｈ１が右側に写り、左側に立つ利用者Ｈ２が左側に写る。カメラ１１１によって撮影された画像は、反転してタッチパネルモニタ１１２に表示される。
【０１４８】
図１７の例においても、利用者は、このようなライブビュー表示画面を見て、自分の体の位置を調整するべく、適切な立ち位置に移動する。
【０１４９】
以上のようにして、アップ画像の撮影および全身画像の撮影それぞれにおいて、トリミングされたライブビュー画像によって、利用者が適切な立ち位置に誘導されるようになる。
【０１５０】
なお、以上においては、全身画像の撮影として、斜め上から見た利用者の全身が写る全身画像の撮影が行われる例について説明したが、全身画像の撮影として、正面から見た利用者の全身が写る全身画像の撮影が行われる場合であっても、ライブビューの表示は上述した例と同様にして行われる。
【０１５１】
＜背面左右ストロボについて＞
従来の写真シール機においては、図１８左側に示されるように、背面右ストロボ４６１（背面左ストロボも同様）は、撮影空間において、長手方向が水平方向になるように設けられていた。また、背面右ストロボ４６１には、光を特定の方向に導くためのルーバーが設けられていた。
【０１５２】
このような背面左右ストロボによって、撮影空間における利用者Ｕの前後方向の立ち位置に依存することなく、利用者Ｕの髪に対して直線的な光、すなわち、光源から同一方向に進む光が照射されていた。
【０１５３】
一方、本実施の形態の写真シール作成装置１においては、図１８右側に示されるように、背面右ストロボ１３２（背面左ストロボ１３３も同様）は、撮影空間Ａ１において、長手方向が垂直方向になるように設けられていた。なお、背面右ストロボ１３２には、光を特定の方向に導くためのルーバーは設けられていない。
【０１５４】
このような背面左右ストロボによれば、撮影空間Ａ１における利用者Ｕの前後方向の立ち位置に依存して、利用者Ｕの背面に対して拡散された光が照射される。具体的には、利用者がカメラ１１１に近い位置に立つほど、利用者Ｕの背面に照射される光は弱くなる。
【０１５５】
写真シール作成装置１の背面左右ストロボからの光は、従来の写真シール機の背面左右ストロボからの光と比べて指向性が低く、利用者Ｕの髪に照射される光も弱くなる。すなわち、利用者Ｕの髪は明るくなりすぎず、結果として、利用者の顔の立体感が強調されるようになる。
【０１５６】
＜上ストロボユニットとカメラとの位置関係＞
上ストロボユニット１０３とカメラ１１１との位置関係は、撮影画像における被写体の写りに影響を与える。
【０１５７】
例えば、上ストロボユニット１０３の発光面が、カメラ１１１のレンズ面より被写体側にせり出している場合、カメラ１１１と被写体（利用者）との間に一定の距離ができてしまう。被写体がカメラ１１１から遠い場合、原画像に写る被写体は小さくなる。そのような原画像からトリミングによって撮影画像を生成する場合、被写体の大きさを確保するためにトリミング後の画像を拡大しようとすると、画素が粗くなり画質が低下してしまう。
【０１５８】
逆に、カメラ１１１のレンズ面が、上ストロボユニット１０３の発光面より被写体側にせり出している場合、上ストロボユニット１０３と被写体（利用者）との間に一定の距離ができてしまう。被写体が上ストロボユニット１０３から遠い場合、上ストロボユニット１０３からの光が被写体に十分に照射されなくなる。その結果、図１９に示されるように、得られるアップ画像４７１や全身画像４７２の上側が暗く写ってしまう。このことは、カメラ１１１から離れて撮影を行うことで得られる全身画像において特に顕著に表れる。
【０１５９】
これに対して、上ストロボユニット１０３の光量を上げることで、上ストロボユニット１０３からの光が被写体に十分に照射されるようにすることができる。しかしながら、上ストロボユニット１０３の光量を上げることで、利用者の顔の一部に「てかり」が生じるおそれがある。
【０１６０】
そこで、本実施の形態の写真シール作成装置１においては、図２０に示されるように、上ストロボユニット１０３の中心（内部に設けられるストロボ発光管）とカメラ１１１のレンズ面とが、写真シール作成装置１の設置面に垂直な同一直線Ｌ１上に設けられるようにする。
【０１６１】
これにより、上ストロボユニット１０３と被写体（利用者）との間の距離が適度な距離となり、画質を低下させることなく、また、得られる撮影画像の上側の写りが暗くなったり、利用者の顔の一部に「てかり」が生じることを防ぐことができる。
【０１６２】
また、本実施の形態の写真シール作成装置１においては、上ストロボユニット１０３の発光面の中心を通る法線Ｌ２と水平面とのなす角度が、従来の写真シール機と比べて小さく設計されている。すなわち、上ストロボユニット１０３の発光面は、従来の写真シール機の上ストロボユニットの発光面より上を向くようになされている。例えば、上ストロボユニット１０３の発光面の中心を通る法線Ｌ２と水平面とのなす角度は、40°乃至50°程度とされる。
【０１６３】
これにより、利用者が、撮影空間Ａ１内の最も背面パネル５１寄りに立った場合であっても、利用者に適切に光が照射されるようになる。
【０１６４】
さらに、図２０においては、上ストロボユニット１０３の発光面の中心を通る法線Ｌ２と、カメラ１１１のレンズの光軸Ｌ３との交点が、アップ画像の撮影を行うときの立ち位置ＳＰ１とされる。この立ち位置ＳＰ１は、カメラ１１１から600mm乃至800mm程度の位置とされる。
【０１６５】
立ち位置SP1で撮影を行うことにより、アップ画像の撮影範囲である顔を含む胸から上の範囲に、上ストロボユニット１０３と足元ストロボユニット１０４の上面からの光が適切に照射され、より良い写りのアップ画像が得られるようになる。
【０１６６】
また、図２０においては、上ストロボユニット１０３の発光面の中心を通る法線Ｌ２と、足元ストロボユニット１０４の正面（垂直面）を形成する板状部材１２１の上端を通る水平な直線Ｌ４との交点が、全身画像の撮影を行うときの立ち位置ＳＰ２とされる。
【０１６７】
立ち位置ＳＰ２で撮影を行うことにより、全身画像の撮影範囲である全身の範囲に、上ストロボユニット１０３と足元ストロボユニット１０４の正面からの光が適切に照射され、より良い写りの全身画像が得られるようになる。
【０１６８】
＜荷物置き場の詳細＞
上述したように、足元ストロボユニット１０４の左右には、板状部材１２４Ｌおよび板状部材１２４Ｒにより形成される斜面が、利用者の荷物置き場として設けられている。以下、荷物置き場の詳細について説明する。なお、以下においては、板状部材１２４Ｒについて説明するが、板状部材１２４Ｌについても同様の構成となる。
【０１６９】
図２１に示されるように、板状部材１２４Ｒは、足元ストロボユニット１０４の側面部を構成する側面枠部１０４Ｆと側面パネル４２Ａとに挟まれるようにして設けられる。
【０１７０】
板状部材１２４Ｒは、傾斜をつけて設けられているため、板状部材１２４Ｒ上に利用者が手荷物を置いた場合、その手荷物が滑り落ちる可能性がある。そこで、板状部材１２４Ｒの斜面の最も手前側（下端）には、段差部１２４Ｄを設けるようにする。これにより、手荷物が滑り落ちるのを防ぐことができる。
【０１７１】
さらに、板状部材１２４Ｒ上に利用者が缶ジュースなどの飲料を置いた場合、その缶が倒れ、その缶からこぼれ出た飲料が、板状部材１２４Ｒの斜面と段差部１２４Ｄとの間の谷部分に貯まってしまうおそれがある。そこで、その谷部分と側面枠部１０４Ｆとが交わる部分に、水抜き孔４８１を設けるようにする。これにより、倒れた缶からこぼれ出た飲料が、板状部材１２４Ｒの斜面と段差部１２４Ｄとの間の谷部分に貯まるのを防ぐことができる。なお、水抜き孔４８１に流れ込んだ飲料は、側面パネル４２Ａ、側面枠部１０４Ｆ、板状部材１２３Ｒ、および板状部材１２４Ｒで囲まれる空間内に設けられた貯水部に貯められる。また、水抜き孔４８１が設けられる位置は、上述した位置に限らず、板状部材１２４Ｒの斜面と段差部１２４Ｄとの間の谷部分に貯まった液体が流れ込むことができる位置であればよい。
【０１７２】
以下においては、本技術の写真シール作成装置１の他の実施の形態について説明する。
【０１７３】
＜撮影空間内の配色の他の例＞
図２２は、撮影部の他の構成例を示す斜視図である。
【０１７４】
図２２においては、撮影・表示ユニット１０１の各面（斜面１０１Ａ乃至１０１Ｃを含む前面、上面、側面、および下面）の色は、黒色または黒色系の色とされる。
【０１７５】
これにより、図１３の例と比較して、利用者の正面から照射される光のうち、柔らかい光の割合が低減されるので、利用者の顔にできる陰影をほどよく強調させることができる。なお、図２２の構成において、撮影空間Ａ１の側面の色を、図１３と同様に黒色または黒色系の色とするようにしてもよい。
【０１７６】
図２３は、撮影部のさらに他の構成例を示す斜視図である。
【０１７７】
図２３においては、正面パネル４１の撮影空間Ａ１側の面と、側面パネル４２Ｂ（側面パネル４２Ａ）の撮影空間Ａ１側の面とは、異なる色とされ、一方は明るい色であり、他方は暗い色である。
【０１７８】
具体的には、正面パネル４１の撮影空間Ａ１側の面の色は、黒色または黒色系の色である。図２３の例では、撮影・表示ユニット１０１の各面の色は、白色または白色系の色であるが、図２２の例と同様、黒色または黒色系の色であってもよい。
【０１７９】
これにより、利用者からみた撮影空間Ａ１内の正面には、撮影空間Ａ１内の各ストロボユニットのストロボ光全体のごく一部しか反射せず、利用者からみた撮影空間Ａ１内の正面からは、固い光のみが、利用者の顔の正面を中心に照射されるようになる。
【０１８０】
一方、側面パネル４２Ｂ（側面パネル４２Ａ）の撮影空間Ａ１側の面は、白色または白色系の色である。また、図示はしないが、側面パネル４２Ｂと側面パネル５２Ｂの上部を連結する連結部３１Ｂ（連結部３１Ａ）の撮影空間Ａ１側の面、撮影空間Ａ１の出入り口を覆うカーテン４１１Ｂ（カーテン４１１Ａ）それぞれの色もまた、白色または白色系の色である。
【０１８１】
これにより、利用者からみた撮影空間Ａ１内の側面からは、撮影空間Ａ１内の各ストロボユニットのストロボ光の反射光が、柔らかい光として、利用者の顔の側面を中心に照射されるようになる。
【０１８２】
したがって、利用者の顔の正面にはシェーディングができ、顔の側面にはハイライトができるようになる。すなわち、顔の正面にできる陰影をより強調した、立体感のある画像を提供することが可能となる。
【０１８３】
＜編集ユニットのカーテンについて＞
上述したように、編集ユニット１２の上方に設けられるカーテン取付部７５は、上から見たときの形状がコの字の角がＣ面取りされた形状を有する。
【０１８４】
図２４は、写真シール作成装置１の外観の他の構成例を示す斜視図である。
【０１８５】
図２４に示されるように、カーテン取付部７５を構成する５本の棒状部材７５Ａ乃至７５Ｃ，７５ａ，７５ｂには、カーテン５１１Ａ乃至５１１Ｃ，５１１ａ，５１１ｂがそれぞれ取り付けられている。
【０１８６】
従来、写真シール機が設置されている施設において写真シール機を移動する場合、その施設の広さによっては、写真シール機を旋回させる際に、筐体の角の部分が、施設内の壁や他のゲーム機器などに接触するおそれがあった。
【０１８７】
また、このような施設で、複数の写真シール機が設置されている領域においては、写真シール機同士の間に設けられる所定の間隔が、利用者の通路として利用される。しかしながら、施設の規模によっては、このような通路は狭くならざるを得ず、また、筐体の角が死角をつくり出し、利用者同士が衝突するおそれもある。
【０１８８】
そこで、本実施の形態の写真シール作成装置１のように、カーテン取付部７５の角をＣ面取りされた形状とすることで、写真シール作成装置１を旋回させる際に、筐体の角の部分が、施設内の壁や他のゲーム機器などに接触する危険性を低減させることができる。
【０１８９】
また、複数の写真シール作成装置１を設置した場合であっても、筐体の角の部分がＣ面取りされているので、写真シール作成装置１同士の間の通路の圧迫感を抑えるとともに、筐体の角による死角がなくなるため、利用者同士が衝突する危険性を低減させることもできる。
【０１９０】
さらに、従来の写真シール機において、編集ユニットを囲むカーテンは３面（３枚）であった。通常、これらのカーテンには、写真シール機自体の機種を表すロゴや画像が印刷されている。
【０１９１】
本実施の形態の写真シール作成装置１においては、編集ユニットを囲むカーテンは５面（５枚）となるので、これらのカーテンに印刷されるロゴや画像を、写真シール作成装置１の周囲にいる利用者から確認させやすくすることができる。
【０１９２】
図２５は、写真シール作成装置１の外観のさらに他の構成例を示す斜視図である。
【０１９３】
図２５においては、カーテン５１１Ａ乃至５１１Ｃ，５１１ａ，５１１ｂのうち、Ｃ面取り部分に取り付けられているカーテン５１１ａ，５１１ｂが透明または半透明な材質により形成されている。
【０１９４】
このように、編集ユニットを囲むカーテンの一部を透明または半透明にすることで、撮影作業を終え編集空間へ移動してくる利用者は、カーテンをめくらなくとも、編集空間内に他の利用者がいるか否かを確認することができる。
【０１９５】
特に、写真シール作成ゲームに慣れていない利用者は、撮影空間から編集空間への移動が案内された場合であっても、編集ユニットを囲むカーテンの内側に編集空間があることを認識できないことがある。また、編集ユニットを囲むカーテンが透明でないために、そのような利用者が、編集空間内の様子を確認できず、編集空間へ入ることを躊躇することもある。
【０１９６】
そこで、編集ユニットを囲むカーテンの一部を透明または半透明にすることで、写真シール作成ゲームに慣れていない利用者であっても、編集ユニットを囲むカーテンの内側に編集空間があることを容易に認識し、カーテンをめくらなくとも編集空間内の様子を確認することができるようになる。
【０１９７】
写真シール機において、編集ユニットを囲むカーテンが透明でない場合、編集空間は閉ざされた空間となり、防犯上好ましくなかった。そこで、写真シール機を設置している施設側は、カーテンの一部を切断することで、編集空間を閉ざされた空間としないようにしていた。しかしながら、カーテンの一部を切断すると、そのカーテンに印刷されるロゴや画像の一部が欠落してしまうため、写真シール機の外装のデザイン性が損なわれてしまっていた。
【０１９８】
そこで、編集ユニットを囲むカーテンの一部を透明または半透明にすることで、編集空間を閉ざされた空間とせず、かつ、写真シール機の外装のデザイン性を保つことができるようになる。
【０１９９】
さらに、写真シール機において、編集ユニットを囲むカーテンが透明でない場合、編集空間から出ようとする利用者と、編集空間へ入ろうとする利用者または編集空間周辺を歩いている利用者とが出合い頭に衝突するおそれがあった。
【０２００】
そこで、編集ユニットを囲むカーテンの一部を透明または半透明にすることで、編集空間内にいる利用者も編集空間外にいる利用者も、お互いを視認することができ、出合い頭に衝突する危険性を低減させることができる。
【０２０１】
なお、以上においては、カーテン取付部７５の上から見たときの形状がコの字の角がＣ面取りされた形状を有するものとしたが、その上から見たときの形状がコの字の角がＲ面取りされた形状を有するようにしてもよい。
【０２０２】
ところで、図１３を参照して説明した撮影空間Ａ１内の配色によれば、柔らかい光が利用者の顔の正面を中心に照射され、固い光が利用者の顔の側面を中心に照射されるので、利用者の顔の正面には適度なハイライトができ、側面には適度なシェーディングができるようになる。これにより、顔の輪郭がはっきりと強調されつつ、顔の正面は明るくきれいに写る、自然で立体感のある画像を提供することが可能となる。
【０２０３】
しかしながら、固い光は、利用者の顔の正面には照射されないので、顔を構成する目、鼻、口などの顔パーツの立体感をつくり出すことはできない。
【０２０４】
そこで、以下においては、顔パーツの立体感をつくり出す構成について説明する。
【０２０５】
＜撮影空間内の配色のさらに他の例＞
図２６は、撮影部のさらに他の構成例を示す斜視図である。
【０２０６】
なお、本実施形態において、撮影部２１を構成する各部は、上述した図１３などの撮影部２１を構成する各部とは、形状が若干異なるものの機能的には同様とされる。
【０２０７】
図２６においては、正面パネル４１の撮影空間Ａ１側の面と、正面パネル４１の下半分の領域を隠すように設けられる箱型部の撮影空間Ａ１側の面のうちの一方は、白色または白色系の色であり、他方は、黒色または黒色系の色である。ここで、箱型部は、足元ストロボユニット１０４と、その左右に設けられる、板状部材１２３Ｌ，１２４Ｌで形成される立体、および、板状部材１２３Ｒ，１２４Ｒで形成される立体を指している。
【０２０８】
具体的には、正面パネル４１の下半分の領域を隠すように設けられる箱型部の撮影空間Ａ１側の面（具体的には、足元ストロボユニット１０４の発光面を構成する板状部材１２１，１２２、および、板状部材１２３Ｌ，１２３Ｒ，１２４Ｌ，１２４Ｒの各面）の色は、白色または白色系の色である。
【０２０９】
これにより、足元ストロボユニット１０４からのストロボ光（直接光）に加え、撮影空間Ａ１内の各ストロボユニットのストロボ光の反射光（間接光）が、図２７に示されるように、柔らかい光SLとして、利用者の脚（下半身）を中心に照射されるようになる。
【０２１０】
一方、正面パネル４１の撮影空間Ａ１側の上半分の面の色は、黒色または黒色系の色である。
【０２１１】
これにより、利用者からみた撮影空間Ａ１内の正面の上半分には、撮影空間Ａ１内の各ストロボユニットのストロボ光全体のごく一部しか反射せず、利用者からみた撮影空間Ａ１内の正面の上半分からは、図２７に示されるように、上ストロボユニット１０３からの固い光HLのみが、利用者の顔を中心に照射されるようになる。
【０２１２】
なお、図２６の例では、正面パネル４１の左端（右端）に接するようにして設けられる側面パネル４２Ｂ（側面パネル４２Ａ）の撮影空間Ａ１側の面の色は、図１３の例と同様、黒色または黒色系の色である。しかしながら、側面パネル４２Ｂ（側面パネル４２Ａ）の撮影空間Ａ１側の面の色は、白色または白色系の色であってもよい。
【０２１３】
また、図２６の例では、撮影・表示ユニット１０１の各面の色は、白色または白色系の色であるが、図２２の例と同様、黒色または黒色系の色であってもよい。これにより、利用者からみた撮影空間Ａ１内の正面の上半分からは、より固い光が、利用者の顔を中心に照射されるようになる。
【０２１４】
以上の構成によれば、利用者の脚には適度なハイライトができ、顔には適度なシェーディングができるようになる。
【０２１５】
図２７に示されるように利用者の全身を撮影する場合、利用者の脚の部分と背景との境界がはっきりと区別されないと、クロマキ合成の精度が低下し、全身画像への背景画像の合成に失敗するおそれがある。
【０２１６】
そこで、利用者の脚に適度なハイライトができるようにすることで、脚の部分に影ができにくくなり、人物と背景との境界がはっきりと区別されるようになる。結果として、クロマキ合成の精度を向上させ、全身画像への背景画像の合成を適切に行うようにすることができる。
【０２１７】
また、利用者の顔に適度なシェーディングができるようにすることで、顔パーツの輪郭がはっきりと強調され、顔パーツの立体感をつくり出すことができる。
【０２１８】
ここで、上ストロボユニット１０３からの固い光のみが利用者の顔の部分に照射される場合、顔の輪郭に影ができ、上述したクロマキ合成の精度が低下するおそれがあるが、天井照明ユニット３２や、背面上ストロボ１３１などからの光が補助光となり、顔の輪郭に影ができるのを抑えることができる。
【０２１９】
上述した効果は、利用者の顔を含む上半身を撮影範囲とするアップ撮影より、利用者の顔から足元までを含む全身を撮影範囲とする全身撮影において、特に奏することができる。
【０２２０】
なお、図２６の構成によれば、他の構成と比べて、利用者の目に映りこむキャッチライトの形状を異ならせることができる。
【０２２１】
図２８は、背景部２２の他の構成例を示す斜視図である。
【０２２２】
図２８の例では、背面パネル５１の撮影空間Ａ１側には、クロマキ用の背面カーテン６１１が貼り付けられる。背面カーテン６１１の色は、緑色とされる。背面カーテン６１１は、アップ撮影および全身撮影のいずれの撮影においても、被写体である利用者の背景に映り込む。これにより、アップ画像および全身画像に対してクロマキ合成が行われる。
【０２２３】
また、側面パネル５２Ａ，５２Ｂの撮影空間Ａ１側の面の色は、白色または白色系の色である。さらに、背面パネル５１と側面パネル５２Ａとの境界部分に設けられる背面右ストロボ１３２、および、背面パネル５１と側面パネル５２Ｂとの境界部分に設けられる背面右ストロボ１３３（図示せず）の発光面を構成するカバーは、透光性を有する乳白色のアクリル板などによりなる。
【０２２４】
なお、側面パネル５２Ａ，５２Ｂの撮影空間Ａ１側の面のうち、床面に近い部分は、全身撮影において、被写体である利用者の背景に映り込む。そこで、側面パネル５２Ａ，５２Ｂの撮影空間Ａ１側の、床面から５分の２程度の高さまでの面には、緑色に塗装された金属製の板６１２が取り付けられる。
【０２２５】
全身撮影においては、床面もまた、被写体である利用者の背景に映り込む。そこで、背景部２２側の床面には、緑色のフロアシート６１３が敷かれるようにする。これにより、全身撮影により得られた全身画像の背景全体に対してクロマキ合成を行うことができる他、床面のみに合成可能な床面画像を用いたクロマキ合成を行うことができる。
【０２２６】
以上の構成によれば、撮影空間Ａ１内の各ストロボユニットのストロボ光は、側面パネル５２Ａ，５２Ｂに反射することで柔らかい光となり、利用者の左右後方から、利用者に対して照射される。これにより、人物の左右両側面において、強調される部分とそうでない部分との階調がなだらかになり、影をできにくくすることができる。
【０２２７】
また、側面パネル５２Ａ，５２Ｂの撮影空間Ａ１側の面全体の色を緑色とした場合、側面パネル５２Ａ，５２Ｂからの反射光により、人物の左右両側面が緑がかってしまい、クロマキ合成が適切に行われないおそれがある。そこで、側面パネル５２Ａ，５２Ｂの撮影空間Ａ１側の面の色を、基本的には白色または白色系の色とすることで、人物の左右両側面が緑がかってしまうのを防ぎ、クロマキ合成が適切に行われるようにすることができる。
【０２２８】
さらに、撮影空間における背面と側面との実際の境界線を利用して、その境界線に対応する背景画像を合成する写真シール機において、側面パネル５２Ａ，５２Ｂの撮影空間Ａ１側の面全体の色を緑色とした場合、背面カーテン６１１と、側面パネル５２Ａ，５２Ｂとの境界線の検出に失敗し、適切に背景画像が合成されないおそれがある。そこで、側面パネル５２Ａ，５２Ｂの撮影空間Ａ１側の面の色を、白色または白色系の色とすることで、背面カーテン６１１と、側面パネル５２Ａ，５２Ｂとの境界線の検出を容易にし、適切に背景画像が合成されるようにすることができる。
【０２２９】
なお、背面カーテン６１１やフロアシート６１３の色を白色とし、キー色を白色としたクロマキ合成を行うようにしてしまうと、利用者が白色の衣服を着用している場合、クロマキ合成が適切に行われない。特に、写真シール機の利用者の多くを占める女子中高生が夏場に着用する制服は白色を基調としているため、キー色を白色としたクロマキ合成を行うことは好ましくない。そこで、背面カーテン６１１やフロアシート６１３の色を緑色とし、キー色を緑色としたクロマキ合成を行うようにすることで、利用者が白色の衣服を着用している場合であっても、クロマキ合成が適切に行われるようになる。
【０２３０】
また、全身画像において、側面パネル５２Ａ，５２Ｂの撮影空間Ａ１側の面のうち、床面に近い部分をトリミングするようにした場合には、板６１２を取り付けないようにしてもよい。これにより、人物の左右両側面が緑がかってしまうのを確実に防ぐことができるとともに、背面カーテン６１１と、側面パネル５２Ａ，５２Ｂとの境界線の検出をより容易にすることができる。
【０２３１】
以上においては、撮影空間Ａ１内の正面の主に上半分の色が黒色で、主に下半分の色が白色である配色の例について説明したが、他の配色とすることもできる。
【０２３２】
＜撮影空間の配色のさらに他の例＞
図２９は、撮影部のさらに他の構成例を示す斜視図である。
【０２３３】
図２９においては、正面パネル４１の下半分の領域を隠すように設けられる箱型部の撮影空間Ａ１側の面（具体的には、板状部材１２３Ｌ，１２３Ｒ，１２４Ｌ，１２４Ｒの各面）の色は、黒色または黒色系の色である。
【０２３４】
これにより、足元ストロボユニット１０４からの固い光のみが、利用者の脚（下半身）を中心に照射されるようになる。
【０２３５】
一方、正面パネル４１の撮影空間Ａ１側の上半分の面の色は、白色または白色系の色である。
【０２３６】
これにより、上ストロボユニット１０３からのストロボ光（直接光）に加え、撮影空間Ａ１内の各ストロボユニットのストロボ光の反射光（間接光）が、柔らかい光として、利用者の顔を中心に照射されるようになる。
【０２３７】
なお、図２９の例では、側面パネル４２Ｂ（側面パネル４２Ａ）の撮影空間Ａ１側の面は、白色または白色系の色であるが、図２６の例と同様、黒色または黒色系の色であってもよい。また、図２９の例では、撮影・表示ユニット１０１の各面の色は、白色または白色系の色であるが、図２２の例と同様、黒色または黒色系の色であってもよい。
【０２３８】
以上の構成によれば、利用者の脚には適度なシェーディングができ、顔には適度なハイライトができるようになる。
【０２３９】
＜背面、側面、および床面の配色＞
上述したように、撮影空間Ａ１内の背景側の背面、側面、および床面の配色を全て同じ色とせず、異なる色とすることで、それぞれの面同士の境界線の検出を容易にすることができる。
【０２４０】
背面、側面、および床面それぞれの配色はそれぞれ、上述した緑色、白色、緑色に限らず、青色、青色、緑色としてもよいし、青色、緑色、緑色としてもよいし、青色、白色、緑色などとしてもよい。
【０２４１】
＜撮影・表示ユニットの形状＞
図３０は、本実施形態における撮影・表示ユニット１０１の側面図を示している。
【０２４２】
図３０においては、図中左側が、撮影・表示ユニット１０１の正面側となる。
【０２４３】
図３０の撮影・表示ユニット１０１の正面側においては、図３および図４の撮影・表示ユニット１０１の斜面１０１Ａに代えて、垂直面１０１Ｖが形成され、その下に、垂直面に対して前傾した斜面１０１Ｂ、および、垂直面に対して後傾した斜面１０１Ｃが形成される。
【０２４４】
垂直面１０１Ｖには、カメラストロボが設けられる。カメラストロボは、横長長方形の発光面を構成するアクリル板と、その背後に設けられるストロボ発光管とから構成される。カメラストロボは、他のストロボユニットと同様にカメラ１１１による撮影に合わせて発光し、利用者の顔をカメラ１１１の上方から照射する。
【０２４５】
斜面１０１Ｂには、カメラ１１１が設けられる。カメラ１１１が、垂直に対して前傾した斜面１０１Ｂに設けられることにより、利用者の全身を、その正面上方から顔が大きく写るように撮影する上から全身撮影を実現することができる。
【０２４６】
斜面１０１Ｃは、垂直面に対して所定の角度θだけ後傾している。角度θは、例えば４°などの僅かな傾きとされる。斜面１０１Ｃには、タッチパネルモニタ１１２が設けられる。タッチパネルモニタ１１２が、垂直に対して後傾した斜面１０１Ｃに設けられることにより、利用者は、前に屈むなどの姿勢をとることなく、タッチパネルモニタ１１２に表示される画面を確認しながら撮影作業を行うことができる。
【０２４７】
＜背面と床面との境界線＞
以下においては、背面と床面との境界線について説明する。
【０２４８】
図３１は、本実施の形態における背面カーテン６１１の下辺部近傍の構成について説明する図である。
【０２４９】
図３１に示されるように、背面カーテン６１１の下辺部は、背面カーテン６１１の下辺部近傍に装着される第１の固定部材と、背面パネル５１の最下部を構成するベース部５１ｂに接合されている第２の固定部材とによって固定される。
【０２５０】
具体的には、図３２に示されるように、背面カーテン６１１の下辺部は、背面カーテン６１１の下辺部近傍に装着される第１の固定部材としての固定金具６２１と、ベース部５１ｂに接合されている第２の固定部材としての下フレーム６２２とによって固定される。固定金具６２１は、背面カーテン６１１の下辺部に沿って延在するようにして装着される。また、固定金具６２１および下フレーム６２２の延在方向の長さは、背面カーテン６１１の幅と略同じとされる。
【０２５１】
なお、図３２に示されるように、背面パネル５１は、ベース部５１ｂと、その下側（設置面側）に設けられる複数のキャスタ６２３およびアジャスタ６２４によって支持されている。なお、ベース部５１ｂの下側には、キャスタ６２３およびアジャスタ６２４のいずれか一方のみが設けられるようにしてもよい。
【０２５２】
図３３は、背面カーテン６１１を固定する仕組みについて説明する図である。
【０２５３】
図３３には、背面カーテン６１１、固定金具６２１、および下フレーム６２２を側面（側面パネル５２Ｂ側）からみた場合の断面が示されている。
【０２５４】
図３３に示されるように、固定金具６２１は、断面がコの字型の第１の部材６２１ａと第２の部材６２１ｂとが互いに嵌合することで構成される。固定金具６２１は、第１の部材６２１ａと第２の部材６２１ｂとの間に、背面カーテン６１１の下辺部の先端を挟み込むことで、背面カーテン６１１の下辺部近傍に装着される。
【０２５５】
より詳細には、第１の部材６２１ａの内側には複数の突起部が設けられ、これらに対応するように、背面カーテン６１１の下辺部の先端近傍には複数の孔が設けられる。背面カーテン６１１の孔を、第１の部材６２１ａの突起部に通すことによって、固定金具６２１が、安定して背面カーテン６１１に装着されるようになる。もちろん、他の構成により、固定金具６２１が背面カーテン６１１に装着されるようにしてもよい。例えば、第１の部材６２１ａの内側に複数の孔を設け、これらに対応するように、背面カーテン６１１の下辺部の先端近傍に複数の突起部を設けることで、固定金具６２１が背面カーテン６１１に装着されるようにしてもよい。
【０２５６】
固定金具６２１は、下フレーム６２２と対向しない側（図中左側）の面が、背面カーテン６１１に覆われるようにして、下フレーム６２２に固定される。背面カーテン６１１の下辺部近傍は、カメラ９１の撮影範囲に含まれるため、このような構成により、背面カーテン６１１を固定する金具やねじなどを露出させないようにすることができる。
【０２５７】
また、固定金具６２１は、背面カーテン６１１の裏面側、すなわち下フレーム６２２と対向する側（図中右側）に突出する複数の突起部６３１を有する。
【０２５８】
一方、下フレーム６２２には、固定金具６２１の複数の突起部６３１に対応する位置に、複数の孔部が設けられている。
【０２５９】
固定金具６２１と下フレーム６２２とは、複数の突起部６３１が、複数の孔部に係合することで固定されるようになされている。
【０２６０】
＜フロアシートについて＞
さて、本実施形態においては、背景部２２側の床面にフロアシート６１３が敷かれている。
【０２６１】
図３４に示されるように、フロアシート６１３は、その一端が背面パネル５１の外側に固定され、固定金具６２１および下フレーム６２２と床面（設置面）との間を通して、撮影空間Ａ１内の床面に敷かれるようになされている。
【０２６２】
固定金具６２１および下フレーム６２２と床面との間には、所定間隔の隙間があり、この隙間（具体的には、隙間にできる影）が、背面（背面カーテン６１１）と床面（フロアシート６１３）との間の境界線となる。
【０２６３】
ところで、近年、背面や側面と、床面との境界線を検出することで、床面のみに合成可能な床面画像を用いたクロマキ合成を行う写真シール機がある。
【０２６４】
しかしながら、図３４に示される構成において、利用者が撮影空間Ａ１内で移動するなどすることにより、フロアシート６１３が、撮影空間Ａ１側（図中左側）にずれる（引っ張り込まれる）おそれがある。その結果、図中両矢印で示されている、背面カーテン６１１（固定金具６２１および下フレーム６２２）とフロアシート６１３との間の隙間が小さくなり、背面と床面との境界線の検出に失敗する可能性が生じる。
【０２６５】
そこで、図３５に示されるように、背面カーテン６１１（固定金具６２１および下フレーム６２２）とフロアシート６１３との間の隙間を一定に保つ抑制部材６５１を設けるようにする。
【０２６６】
抑制部材６５１は、柄杓型の断面形状を有する金属板で構成され、柄杓の柄に相当する部分を上にして、柄杓の器に相当するコの字型の部分が床面側に配置されるようにして設けられる。
【０２６７】
抑制部材６５１において柄杓の柄に相当する部分は、固定金具６２１と下フレーム６２２２との挟まれるようにして固定される。抑制部材６５１の下端部と床面との間隔は、例えば１０ｍｍ程度に調整される。
【０２６８】
このような構成により、フロアシート６１３が、撮影空間Ａ１側にずれる（引っ張り込まれる）場合であっても、抑制部材６５１により、図中両矢印で示される、背面カーテン６１１（固定金具６２１および下フレーム６２２）とフロアシート６１３との間の隙間が一定に保たれる。これにより、背面と床面との境界線の検出を容易にし、床面画像を用いたクロマキ合成を適切に行うことができる。
【０２６９】
なお、背面と床面との境界線の検出を容易するために、抑制部材６５１を設ける以外にも、背面カーテン６１１の下辺部を黒色系の色に塗装するなどしてもよい。
【０２７０】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０２７１】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２７２】
この記録媒体は、例えば、図１０に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０２７３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２７４】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２７５】
また、本技術の実施の形態は、上述した実施の形態に限定されるものではなく、本技術の要旨を逸脱しない範囲において種々の変更が可能である。
【符号の説明】
【０２７６】
１  写真シール作成装置
２１  撮影部
３１Ａ，３１Ｂ  連結部
４１  正面パネル
４２Ａ，４２Ｂ  側面パネル
５１  背面パネル
５２Ａ，５２Ｂ  側面パネル
１０１  撮影・表示ユニット
１０３  上ストロボユニット
１０４  足元ストロボユニット
１１１  カメラ
１３１  背面上ストロボ
１３２  背面右ストロボ
１３３  背面左ストロボ
４１１Ａ，４１１Ｂ  カーテン
【図１】
2017120372.tif 000003
【図２】
2017120372.tif 000004
【図３】
2017120372.tif 000005
【図４】
2017120372.tif 000006
【図５】
2017120372.tif 000007
【図６】
2017120372.tif 000008
【図７】
2017120372.tif 000009
【図８】
2017120372.tif 000010
【図９】
2017120372.tif 000011
【図１０】
2017120372.tif 000012
【図１１】
2017120372.tif 000013
【図１２】
2017120372.tif 000014
【図１３】
2017120372.tif 000015
【図１４】
2017120372.tif 000016
【図１５】
2017120372.tif 000017
【図１６】
2017120372.tif 000018
【図１７】
2017120372.tif 000019
【図１８】
2017120372.tif 000020
【図１９】
2017120372.tif 000021
【図２０】
2017120372.tif 000022
【図２１】
2017120372.tif 000023
【図２２】
2017120372.tif 000024
【図２３】
2017120372.tif 000025
【図２４】
2017120372.tif 000026
【図２５】
2017120372.tif 000027
【図２６】
2017120372.tif 000028
【図２７】
2017120372.tif 000029
【図２８】
2017120372.tif 000030
【図２９】
2017120372.tif 000031
【図３０】
2017120372.tif 000032
【図３１】
2017120372.tif 000033
【図３２】
2017120372.tif 000034
【図３３】
2017120372.tif 000035
【図３４】
2017120372.tif 000036
【図３５】
2017120372.tif 000037